(57)【要約】【課題】地震の揺れでハンガー金具が長手方向に引っ張られても、ハンガー金具がデッキプレートから外れないようにする。【解決手段】ハンガー金具に回転防止具を取り付けてなり、該回転防止具は、略同一平面内に所定間隔をおいて左右対称に設けられた一対の板状のスカート部と、該一対のスカート部を連結する連結部と、該一対のスカート部の間に該ハンガー金具を略同一平面内に保持するガイド部とを備え、該スカート部は略直角の角部を有し、一方のスカート部の該角部を挟む２つの隣り合う辺のうちの対向辺と、他方のスカート部の該角部を挟む２つの隣り合う辺のうちの対向辺は該ハンガー金具の幅と略等しい間隔をおいて平行に対向し、一方のスカート部の該角部を挟む２つの隣り合う辺のうちの嵌合辺と、他方のスカート部の該角部を挟む２つの隣り合う辺のうちの嵌合辺は略同一直線上にある。【選択図】図１
2015183465.tif 000002
【特許請求の範囲】
【請求項１】
ハンガー金具の回転を防止するものであり、略同一平面内に所定間隔をおいて左右対称に設けられた一対の板状のスカート部と、該一対のスカート部を連結する連結部と、該一対のスカート部の間に該ハンガー金具を略同一平面内に保持するガイド部とを備え、該スカート部は略直角の角部を有し、一方のスカート部の該角部を挟む２つの隣り合う辺のうちの対向辺と、他方のスカート部の該角部を挟む２つの隣り合う辺のうちの対向辺は該ハンガー金具の幅と略等しい間隔をおいて平行に対向し、一方のスカート部の該角部を挟む２つの隣り合う辺のうちの嵌合辺と、他方のスカート部の該角部を挟む２つの隣り合う辺のうちの嵌合辺は略同一直線上にあることを特徴とする回転防止具。
【請求項２】
前記連結部が前記スカート部の一方の面側に設けられて、前記ハンガー金具を該一方の面側からガイドし、前記ガイド部が該スカート部の他方の面側に設けられて、該ハンガー金具を該他方の面側からガイドしていることを特徴とする請求項１に記載の回転防止具。
【請求項３】
前記ガイド部が一対のガイド片からなり、該ガイド片が前記スカート部の直角を成す隣り合う辺のうちの対向辺の中央付近に対向して設けられていることを特徴とする請求項１又は２に記載の回転防止具。
【請求項４】
前記連結部の前記ハンガー金具に接する面に滑り止め樹脂が塗布されていることを特徴とする請求項１〜３のいずれかに記載の回転防止具。
【請求項５】
前記スカート部の隣り合う辺のうちの嵌合辺に滑り止め樹脂が塗布されていることを特徴とする請求項１〜４のいずれかに記載の回転防止具。
【請求項６】
天井板を吊り下げる吊りボルトをデッキプレートに取り付けるハンガー金具と該ハンガー金具の回転を防止する回転防止具とからなり、該ハンガー金具は細長板状でく字状に折り曲げられた金属板からなり、該回転防止具は、略同一平面内に所定間隔をおいて左右対称に設けられた一対の板状のスカート部と、該一対のスカート部を連結する連結部と、該一対のスカート部の間に該ハンガー金具を略同一平面内に保持するガイド部とを備え、該スカート部は略直角の角部を有し、一方のスカート部の該角部を挟む２つの隣り合う辺のうちの対向辺と、他方のスカート部の該角部を挟む２つの隣り合う辺のうちの対向辺は該ハンガー金具の幅と略等しい間隔をおいて平行に対向し、一方のスカート部の該角部を挟む２つの隣り合う辺のうちの嵌合辺と、他方のスカート部の該角部を挟む２つの隣り合う辺のうちの嵌合辺は略同一直線上にあることを特徴とする耐震型ハンガー金具。
【請求項７】
前記連結部が前記スカート部の一方の面側に設けられて、前記ハンガー金具を該一方の面側からガイドし、前記ガイド部が該スカート部の他方の面側に設けられて、該ハンガー金具を該他方の面側からガイドしていることを特徴とする請求項６に記載の耐震型ハンガー金具。
【請求項８】
前記ガイド部が前記スカート部の直角を成す隣り合う辺のうちの対向辺の中央付近に対向して設けられていることを特徴とする請求項６又は７に記載の耐震型ハンガー金具。
【請求項９】
前記連結部の前記ハンガー金具に接する面に滑り止め樹脂が塗布されていることを特徴とする請求項６〜８のいずれかに記載の耐震型ハンガー金具。
【請求項１０】
前記スカート部の隣り合う辺のうちの嵌合辺に滑り止め樹脂が塗布されていることを特徴とする請求項６〜９のいずれかに記載の耐震型ハンガー金具。
【発明の詳細な説明】
【技術分野】
【０００１】
本発明は、地震時におけるハンガー金具の回転を防止する回転防止具とこの回転防止具を備えた耐震型ハンガー金具に関するものである。
【背景技術】
【０００２】
鉄骨造、鉄筋コンクリート造又は鉄骨鉄筋コンクリート造の建物には、デッキプレートの上にコンクリートを打設して床を形成したものがある。このようにして形成した床はデッキプレートが裏面を形成している。この建物は、図１２に示すように、上階の床の裏側のデッキプレート１００に天井板１０２がハンガー金具１０４及び吊りボルト１０６を介して吊り下げられている。
【０００３】
ここで、図１３に示すように、デッキプレート１００の山条１０８の各裾部の裏側には溝条１１０が長手方向に向けて各々形成されている。また、ハンガー金具１０４は「く字状」に折り曲げられた細長板状の金属板からなる取付金具である。ハンガー金具１０４は、両端部をデッキプレート１００の山条１０８の各裾部の裏側の溝条１１０に嵌合させることによってデッキプレート１００の裏側に取り付けられている。
【０００４】
ハンガー金具１０４の中央部には、吊りボルト１０６がねじ込めるようにねじ加工されたナット１１２が溶接によって取り付けられており、ハンガー金具１０４のナット１１２には吊りボルト１０６の上部が下方から上方に向けてねじ込まれた状態で取り付けられ、吊りボルト１０６の下部には天井板１０２が取付金具１１４が野縁及び野縁受け（以下、「野縁等」という）１１６を介して吊り下げられている。
【０００５】
ハンガー金具１０４は次のようにしてデッキプレート１００の裏側に取り付けられる。まず、図１４に示すように、上階の床の裏側、すなわち下階からデッキプレート１００の山条１０８の内側の空間にハンガー金具１０４を水平にした状態で長手方向に対して斜めに入れる。そして、この状態のハンガー金具１０４を水平に回転させ、ハンガー金具１０４の両端部をデッキプレート１００の山条１０８の各裾部の裏側の溝条１１０に係合させる。
【０００６】
ハンガー金具１０４をこの状態にした後、更に回転させると、ハンガー金具１０４の両端部はデッキプレート１００の山条１０８の各裾部の裏側の溝条１１０に押され、ハンガー金具１０４は当初の折り曲げ角度以上に少し折れ曲がり、両端部の間隔を少し縮めながら回転する。
【０００７】
ハンガー金具１０４をデッキプレート１００の山条１０８の長手方向に対して直交状態になるまで回転させると、ハンガー金具１０４は折れ曲がり角度を当初の折れ曲がり角度に戻しながら両端部の間隔を広げ、ハンガー金具１０４の各端部は、図１５に示すように、デッキプレート１００の山条１０８の各裾部の裏側の溝条１１０に嵌合する。
【０００８】
図１６に示すように、ハンガー金具１０４の中央のナット１１２に吊りボルト１０６の上端部を下方から上方に向けてねじ込み、吊りボルト１０６の上端部がナット１１２を貫通した後、吊りボルト１０６を更にねじ込んで吊りボルト１０６を上昇させ、吊りボルト１０６の上端部をデッキプレート１００の山条１０８の頂上の裏側の面に当接させる（図１３参照）。
【０００９】
吊りボルト１０６の上端部をデッキプレート１００の山条１０８の頂上の裏側の面に当接させた後、吊りボルト１０６を更にねじ込んで上端部を更に上昇させると、吊りボルト１０６の上端部がデッキプレート１００の山条１０８の頂上の裏側の面に強く押し付けられ、その反作用でハンガー金具１０４の中央のナット１１２が下方に強く押され、ハンガー金具１０４の折れ曲がり角度が開いて、ハンガー金具１０４の両端部が外側に広がり、ハンガー金具１０４の両端部が溝条１１０に強く押し付けられる。
【００１０】
ハンガー金具１０４と吊りボルト１０６は、このようにして、デッキプレート１００の山条１０８の頂上の裏側であって、吊りボルト１０６の上端部が当接している１カ所と、デッキプレート１００の山条１０８の各裾部の裏側の溝条１１０であって、ハンガー金具１０４の両端部が当接している２カ所の計３箇所で強固に固定され、天井板１０２はこれらのハンガー金具１０４と吊りボルト１０６によって上階の床の裏側に強固に取り付けられる。
【００１１】
ハンガー金具１０４と吊りボルト１０６は、以上説明したように、上階の床の裏面のデッキプレート１００に強固に取り付けられているわけであるが、強い地震の際には天井板１０２や吊りボルト１０６が大きく揺れ、天井板１０２を吊っている吊りボルト１０６に水平及び垂直方向や捩れ等の想定外の強い力が働き、ハンガー金具１０４がデッキプレート１００の山条１０８の長手方向に強く引っ張られ、ハンガー金具１０４の両端部がデッキプレート１００の山条１０８の内側の溝条１１０に沿って滑るかもしれない。
【００１２】
そして、ハンガー金具１０４の両端部がデッキプレート１００の山条１０８の内側の溝条１１０に沿って滑ると、ハンガー金具１０４の両端部とデッキプレート１００の溝条１１０との間の摩擦力の違いからハンガー金具１０４が回転し、ハンガー金具１０４の端部がデッキプレート１００の溝条１１０から外れ、天井板１０２がハンガー金具１０４とともに脱落・落下してしまうかもしれない。
【先行技術文献】
【特許文献】
【００１３】
【特許文献１】特開２００１−４０８１０号公報
【特許文献２】特開平１０−２１９９１８号公報
【特許文献３】特開平９−１２５５９１号公報
【特許文献４】実開平５−８３１２５号公報
【発明の概要】
【発明が解決しようとする課題】
【００１４】
本発明が解決しようとする課題は、大きな地震で建物が激しく揺れてハンガー金具が想定外の力で上階の床の裏面のデッキプレートの長手方向に強く引っ張られて滑った場合、ハンガー金具が回転して上階の床の裏面のデッキプレートから外れ、天井板がハンガー金具とともに落下する可能性を排除することができない点である。
【課題を解決するための手段】
【００１５】
本発明は、ハンガー金具の回転を防止する回転防止具であり、略同一平面内に所定間隔をおいて左右対称に設けられた一対の板状のスカート部と、該一対のスカート部を連結する連結部と、該一対のスカート部の間に該ハンガー金具を略同一平面内に保持するガイド部とを備え、該スカート部はデッキプレートの溝条に対して略直角の角部を有し、一方のスカート部の該角部を挟む２つの隣り合う辺のうちの一辺（対向辺）と、他方のスカート部の該角部を挟む２つの隣り合う辺のうちの一辺（以下、「対向辺」という）は該ハンガー金具の幅と略等しい間隔をおいて平行に対向し、一方のスカート部の該角部を挟む２つの隣り合う辺のうちの他の一辺（嵌合辺、即ちデッキプレートの溝条に嵌合する辺）と、他方のスカート部の該角部を挟む２つの隣り合う辺のうちの他の一辺（以下、「嵌合辺」という）は、略同一直線上にあることを最も主要な特徴とする。
【発明の効果】
【００１６】
本発明の回転防止具は、スカート部の嵌合辺がデッキプレートの溝条に広範囲に嵌合・密着していて滑り難くなっているので、スカート部に挟まれているハンガー金具をデッキプレートの溝条に沿って滑り難くし、従って、地震の際にハンガー金具を回転し難くし、ハンガー金具を脱落し難くし、天井板を落下させ難くすることができるという利点がある。
【００１７】
また、本発明の回転防止具は、スカート部の嵌合辺がデッキプレートの溝条に当たって回転できないので、地震の際の大きな揺れでハンガー金具がデッキプレートの長手方向に引っ張られて滑り、ハンガー金具が回転しようとしても、スカート部に挟まれているハンガー金具は回転することができず、従って、地震の際にハンガー金具の回転を防止し、ハンガー金具の脱落を防止し、天井板の落下を防止することができるという利点がある。
【００１８】
本発明の回転防止具は、前記連結部の前記ハンガー金具に接する面に滑り止め樹脂が塗布されている場合、回転防止具がハンガー金具の長手方向に滑り難くなり、回転防止具が溝条から外れ難くなるという利点がある。また、本発明の回転防止具は、前記スカート部の嵌合辺の近傍に滑り止め樹脂が塗布されている場合、回転防止具がデッキプレートの溝条に沿って滑り難くなるという利点がある。
【図面の簡単な説明】
【００１９】
【図１】図１は本発明に係る耐震型ハンガー金具の一例を上方側から示す要部斜視図である。
【図２】図２は本発明に係る耐震型ハンガー金具の一例を下方側から示す要部斜視図である。
【図３】図３はハンガー金具の斜視図である。
【図４】図４は本発明に係る回転防止具をハンガー金具の一方の端部に差し込む様子を示す説明図である。
【図５】図５は本発明に係る回転防止具をハンガー金具の他方の端部に差し込む様子を示す説明図である。
【図６】図６は本発明に係る耐震型ハンガー金具をデッキプレートの山条の内部に挿入した様子を示す説明図である。
【図７】図７は本発明に係る耐震型ハンガー金具をデッキプレートの山条の内部で回転させる様子を示す説明図である。
【図８】図８は本発明に係る耐震型ハンガー金具をデッキプレートの溝条に係合させる様子を示す説明図である。
【図９】図９は本発明に係る耐震型ハンガー金具をデッキプレートの溝条に嵌合させた様子を示す説明図である。
【図１０】図１０は本発明に係る耐震型ハンガー金具をデッキプレートの溝条に嵌合さ、回転防止具を溝条に嵌合させる様子を示す説明図である。
【図１１】図１１は本発明に係る耐震型ハンガー金具及び吊りボルトをデッキプレートに取り付けた様子を側方から示す説明図である。
【図１２】図１２は上階の床の裏に吊りボルトを介して天井板を取り付けた様子を示す説明図である。
【図１３】図１３はデッキプレートにハンガー金具及び吊りボルトを取り付けた様子を示す説明図である。
【図１４】図１４はデッキプレートにハンガー金具を取り付ける様子を示す説明図である。
【図１５】図１５はデッキプレートの溝条にハンガー金具の両端部を嵌合させた様子を示す説明図である。
【図１６】図１６はハンガー金具に吊りボルトを取り付ける様子を示す説明図である。
【発明を実施するための形態】
【００２０】
本発明は、地震の際に上階の床の裏のデッキプレートからハンガー金具が外れて天井板が落ちるおそれを無くすという目的を、最小の部品点数で、ハンガー金具の機能を損なわずに実現した。
【実施例１】
【００２１】
図１は本発明に係る耐震型ハンガー金具の一例を上方側から示す要部斜視図、図２は本発明に係る耐震型ハンガー金具の一例を下方側から示す要部斜視図である。耐震型ハンガー金具１０は、これらの図に示すように、ハンガー金具１２と、ハンガー金具１２に取り付けられた一対の回転防止具１４，１４とからなる。
【００２２】
ここで、ハンガー金具１２は、天井板を吊り下げる吊りボルト１６をデッキプレート１８に取り付けるための取付具であり、図３に示すように、細長板状で略く字状に折り曲げられた金属板からなり、中央部には吊りボルト１０６がねじ込めるようにねじ加工されたナット２０が取り付けられている。
【００２３】
回転防止具１４は、略同一平面内に所定間隔をおいて左右対称に設けられた一対の板状のスカート部２２，２２と、一対のスカート部２２，２２を連結する連結部２４と、一対のスカート部２２，２２の間にハンガー金具１２を略同一平面内に保持するガイド部２６，２６とを備えている。
【００２４】
スカート部２２，２２は略直角の角部２８を有し、一方のスカート部２２の角部２８を挟む２つの隣り合う辺３０，３２のうちの対向辺３０と、他方のスカート部２２の角部２８を挟む２つの隣り合う辺３０，３２のうちの対向辺３０はハンガー金具１２の幅と略等しい間隔をおいて平行に対向している。
【００２５】
また、一方のスカート部２２の角部２８を挟む２つの隣り合う辺３０，３２のうちの嵌合辺３２と、他方のスカート部２２の角部２８を挟む２つの隣り合う辺３０，３２のうちの嵌合辺３２は略同一直線上にある。
【００２６】
連結部２４はスカート部２２，２２の角部２８を挟む２つの隣り合う辺３０，３２のうちの対向辺３０で、対角Ａに寄った部位にスカート部２２，２２を連結するように設けられている。連結部２４はスカート部２２，２２と一体となってハンガー金具１２を下側からガイドするように設けられている。
【００２７】
なお、図１及び図２では、連結部２４とスカート部２２、２２は、別部材で構成されている（溶接等により、）ように示してあるが、必ずしもこれに限定されるものではない。即ち、一枚の板をプレス成形により一体成形物としても良い。
【００２８】
ガイド部２６，２６はスカート部２２，２２の角部２８を挟む２つの隣り合う辺３０，３２のうちの対向辺３０の中央付近に対向して設けられている。ガイド部２６，２６はスカート部２２，２２の他方の面側にハンガー金具１２を上側からガイドするように設けられている。このガイド部２６、２６もスカート部２２、２２と一体成形しても良い。
【００２９】
連結部２４や対向辺３０のハンガー金具１２に接する面には滑り止め樹脂（例えばウレタン樹脂）を塗布しても良い。また、スカート部２２，２２の角部２８を挟む２つの隣り合う辺３０，３２のうちの嵌合辺３２の近傍、すなわち、デッキプレート１８の山条３４の各裾部の裏側の溝条３６に嵌合する部位にも滑り止め樹脂を塗布しても良い。なお、滑り止め樹脂の塗布は、回転防止具１４の製造時又はハンガー金具１２の施工時の何れでも良い。
【００３０】
また、同様に、ハンガー金具１２の両端部に滑り止め樹脂を塗布しても良い。また、ハンガー金具１２の両端部をデッキプレート１８の山条３４の各裾部の裏側の溝条３６に構造用接着剤（例えばエポキシ樹脂系接着剤）で固着しても良い。
【００３１】
次に、本発明に係る耐震型ハンガー金具の取り付け方法の一例について説明する。
【００３２】
まず、図４に示すように、ハンガー金具１２の一方の側に回転防止具１４をスライドさせて差し込み、次に、図５に示すように、ハンガー金具１２の他方の側に別の回転防止具１４をスライドさせて差し込む。ここで、回転防止具１４は、ガイド部２６，２６がハンガー金具１２の上側になり、連結部２４がハンガー金具１２の下側になるように差し込む。差し込まれた回転防止具１４，１４はハンガー金具１２の中心側に寄せておく。
【００３３】
図６に示すように、上階の床の裏側のデッキプレート１８の山条３４の裏側に回転防止具１４，１４を差し込んだハンガー金具１２を水平に入れ、そして、この状態のハンガー金具１２を、図７及び図８に示すように、水平に回転させ、ハンガー金具１２の各端部をデッキプレート１８の山条３４の各裾部の裏側の溝条３６に係合させる。
【００３４】
ハンガー金具１２をこの状態にした後、更に回転させると、ハンガー金具１２の両端部はデッキプレート１８の山条３４の各裾部の裏側の溝条３６に押され、ハンガー金具１２は当初の折り曲げ角度以上に少し折れ曲がり、両端部の間隔を少し縮めながら回転する。
【００３５】
ハンガー金具１２をデッキプレート１８の山条３４の長手方向に対して直交状態になるまで回転させると、ハンガー金具１２は折れ曲がり角度を当初の折れ曲がり角度に戻しながら両端部の間隔を広げ、ハンガー金具１２の各端部は、図９に示すように、デッキプレート１８の山条３４の各裾部の裏側の溝条３６に嵌合する。
【００３６】
次に、図１０に示すように、ハンガー金具１２に差し込まれている回転防止具１４，１４をハンガー金具１２の両端部側、すなわちデッキプレート１８の溝条３６の側に各々スライドさせ、スカート部２２，２２の角部２８を挟む２つの隣り合う辺３０，３２のうちの嵌合辺３２をデッキプレート１８の溝条３６に嵌合させる。
【００３７】
次に、図１１に示すように、ハンガー金具１２の中央部のナット２０に吊りボルト１６の上端部を下方からねじ込み、吊りボルト１６の上端部がナット２０を貫通した後、吊りボルト１６を更にねじ込んで吊りボルト１６を上昇させ、吊りボルト１６の上端部をデッキプレート１８の山条３４の頂上の裏側の面に当接させる。
【００３８】
吊りボルト１６の上端部をデッキプレート１８の山条３４の頂上の裏側の面に当接させた後、吊りボルト１６を更にねじ込んで上端部を更に上昇させると、吊りボルト１６の上端部がデッキプレート１８の山条３４の頂上の裏側の面に強く押し付けられ、その反作用でハンガー金具１２の中央部が下方に強く押され、ハンガー金具１２の折れ曲がり角度が開いて、ハンガー金具１２の両端部が外側に広がり、ハンガー金具１２の両端部がデッキプレート１８の溝条３６に強く押し付けられる。
【００３９】
吊りボルト１６とハンガー金具１２は、このようにして、デッキプレート１８の山条３４の頂上の裏側であって、吊りボルト１６の上端部が当接している１カ所と、デッキプレート１８の溝条３６であって、ハンガー金具１２の各端部が当接している２カ所の計３箇所で強固に固定され、天井板はこれらの吊りボルト１６とハンガー金具１２によって上階の床の裏側に強固に取り付けられる。
【００４０】
次に、本発明に係る耐震型ハンガー金具の地震時における挙動について説明する。
【００４１】
地震が起きると、天井板や吊りボルト１６は大きく揺れ、天井板を吊っている吊りボルト１６に力が働き、ハンガー金具１２がデッキプレート１８の山条３４の長手方向に引っ張られる。ハンガー金具１２は、両端部を溝条３６に強く押し付けられているので、通常の力では滑らない。
【００４２】
しかし、ハンガー金具１２が想定外の強い力で引っ張られた場合、滑る可能性が出て来るが、本発明の場合、ハンガー金具１２に回転防止具１４が嵌め込まれ、回転防止具１４のスカート部２２，２２の嵌合辺３２が溝条３６に嵌合しているので、回転防止具１４を付けていない場合と比べてより滑り難くなっている。
【００４３】
ハンガー金具１２が山条３４の長手方向に想定外の力で強く引っ張られて、ハンガー金具１２が滑ると、ハンガー金具１２は両端部にかかる摩擦力の違いから回転しようとする。ハンガー金具１２には回転防止具１４が嵌め込まれているので、ハンガー金具１２が回転しようとすると回転防止具１４のスカート部２２も一緒に回転することになる。
【００４４】
しかし、スカート部２２，２２の角部２８を挟む２つの隣り合う辺３０，３２のうちの嵌合辺３２はデッキプレート１８の溝条３６に当たっていて回転できないようになっているので、スカート部２２に挟まれているハンガー金具１２は回転することができない。その結果、ハンガー金具１２はデッキプレート１８から回転して脱落することが防止される。
【００４５】
なお、ハンガー金具１２の端部には滑り止め樹脂が塗布されている場合、デッキプレート１８の溝条３６とハンガー金具１２の端部は滑り難く、吊りボルト１６に想定外の力が作用してハンガー金具１２が引っ張られても、ハンガー金具１２はより滑り難く、従って、ハンガー金具１２はデッキプレート１８からより脱落し難くなる。
【符号の説明】
【００４６】
１０  耐震型ハンガー金具
１２  ハンガー金具
１４  回転防止具
１６  吊りボルト
１８  デッキプレート
２０  ナット
２２  スカート部
２４  連結部
２６  ガイド部
２８  角部
３０  対向辺
３２  嵌合辺
３４  山条
３６  溝条
【図１】
2015183465.tif 000003
【図２】
2015183465.tif 000004
【図３】
2015183465.tif 000005
【図４】
2015183465.tif 000006
【図５】
2015183465.tif 000007
【図６】
2015183465.tif 000008
【図７】
2015183465.tif 000009
【図８】
2015183465.tif 000010
【図９】
2015183465.tif 000011
【図１０】
2015183465.tif 000012
【図１１】
2015183465.tif 000013
【図１２】
2015183465.tif 000014
【図１３】
2015183465.tif 000015
【図１４】
2015183465.tif 000016
【図１５】
2015183465.tif 000017
【図１６】
2015183465.tif 000018